(57)【要約】【課題】身体側の面から空気を噴出させて換気を行うようにした従来の各種装置では、多数の空気噴出孔や通気性の良いシート状素材により空気の噴出を行う構成としているので、空気供給部に近い程、多くの量が噴出されてしまい、離れた場所からの噴出量が少なくなるという傾向がある。【解決手段】本発明では、通気性を有しない第１のシート状要素２と、低通気度のシート状素材により通気部４を構成した第２のシート状要素３と、それらを結合して扁平状空気袋５を構成する着脱取付手段６を要素とし、第１のシート状要素又は第２のシート状要素に空気供給部８を設けた構成とした身体換気用装置により上記課題を解決する。【選択図】図２
2009297269.tif 000002
【特許請求の範囲】
【請求項１】
通気性を有しない第１のシート状要素と、低通気度のシート状素材により通気部を構成した第２のシート状要素と、それらを結合して扁平状空気袋を構成する着脱取付手段を要素とし、第１のシート状要素又は第２のシート状要素に空気供給部を設けたことを特徴とする身体換気用装置。
【請求項２】
空気供給部は一個所にのみ設けたことを特徴とする請求項１に記載の身体換気用装置。
【請求項３】
第１のシート状要素が、寝具や椅子等の身体支持装置の上面カバーであることを特徴とする請求項１に記載の身体換気用装置。
【請求項４】
低通気度のシート状素材が、高密度の布であることを特徴とする請求項１に記載の身体換気用装置。
【請求項５】
通気部が、第２のシート状要素の全面に設けられていることを特徴とする請求項１に記載の身体換気用装置。
【請求項６】
通気部が、第２のシート状要素の一部に設けられていることを特徴とする請求項１に記載の身体換気用装置。
【請求項７】
通気部が離隔した複数個所に設けられていることを特徴とする請求項６に記載の身体換気用装置。
【請求項８】
異なる通気度の通気部が設けられていることを特徴とする請求項１〜７のいずれか１項に記載の身体換気用装置。
【発明の詳細な説明】
【技術分野】
【０００１】
本発明は、マットレスや布団等の寝具や椅子等の身体支持装置の上に構成して使用される身体換気用装置に関するものである。
【背景技術】
【０００２】
マットレスや布団等の寝具又は椅子等の身体支持装置上に臥床又は着座すると、身体から発散する熱と湿気により身体が蒸れて不快感が生じる。このような身体の蒸れを改善するために、身体支持装置の身体側の面から空気を噴出させて換気を行うことにより熱と湿気を排出するようにした各種の身体支持装置が従来から提案されている。
【０００３】
例えば特許文献１には、エアー吹き出し用の多数の開口部を設けた上面カバーと、立体織物によって形成されたエアー通路部材とからなる通風用上敷をマットレスの上面に着脱可能に取り付けると共に、通風用上敷により構成される空間内に、エアーポンプに至るエアー流通路をマットレスの上面を介して開口し、通風用上敷により構成される空間内にエアーポンプから圧送された空気を、上面カバーに設けた多数の開口部から噴出するようにしたマットレスが記載されている。また、この特許文献１には、通気性の良好な上面カバーを設けた通風布袋内に、立体織物や発泡ウレタン材等の内装材を収容して、人が臥床した場合にもエアーの内部流通を可能とするように構成され、エアーポンプから圧送された空気を上面カバーから吹き出すようにした送風パッドが記載されている。この送風パッドでは、開閉可能な境界閉塞手段によって区画される複数の区画が形成されており、境界閉塞手段を閉とすることにより、所望の区画にだけ空気を供給して通風をさせることができるように構成されている。
【０００４】
また特許文献２には、裏板の上方にスプリング部材を介して弾力性をもって通気性を有する敷布部が保持され、敷布部と裏板間の空間部内に送風する空調器とを備えたベッドが記載されている。このベッドでは、空調器により上記空間部内に供給された空調空気は、通気性を有する敷布部から上方に噴出する。
【０００５】
さらに特許文献３には、可撓性と通気性を有する材料からなる表面通気層と、可撓性と気密性を有する材料からなり、複数の通気孔が所定の間隔で形成された内部不通気層と、可撓性と気密性を有する材料からなる裏面不通気層とを重畳させ、内部不通気層と裏面不通気層との間に形成された内部通気層に空気供給源から空気を供給して、通気孔を経て表面通気層から空気を噴出させるように構成したエアーマットが記載されている。そしてこの特許文献３には、通気孔の形成間隔を空気の流入口から遠ざかるに連れて小さくして通気孔の数を多くすることにより、流入口から供給された空気を、遠ざかった位置にも行き渡らせることが記載されている。
【０００６】
更に特許文献４には、エアーマット本体の表面側に多数形成された空気噴出孔を開閉自在に形成することにより、空気噴出孔から外部に噴出させる空気量を調整可能としたエアーマットが記載されている。
【０００７】
また特許文献５には、羽毛布団においてダウン綿の吹き出しを防ぐために、通気度が３cm3/(cm2・秒)以下の低通気度の高密度織物を使用した布団側地が記載されている。
【特許文献１】特開平１０−１６５２５９号公報
【特許文献２】実願昭５６−１４７０４５号（実開昭５７−８１６６４号）のマイクロフィルム
【特許文献３】特開２００５−２７０５６８号公報
【特許文献４】特開平７−８０２１号公報
【特許文献５】特開２００７−１２６７７７号公報
【発明の開示】
【発明が解決しようとする課題】
【０００８】
上述したとおり、身体側の面から空気を噴出させて換気を行うようにした従来の身体支持装置においては、身体側の面に多数の空気噴出孔を設けたり、又は身体側の面を通気性の良いシート状素材により形成することにより、空気の噴出を行う構成としている。
【０００９】
ところが、空気噴出孔や通気性の良いシート状素材は、それらを通しての空気の流通が内外の僅かな圧力差により容易に行われるため、空気ポンプから送風袋、送風パッド又は身体支持装置の空気供給部に供給された空気は、空気供給部に近い程、多くの量が噴出されてしまい、離れた場所からの噴出量が少なくなるという傾向がある。
【００１０】
このため特許文献１のベッドのように空気供給部が使用する人の足側に設置されている場合には、供給された空気は、足側から多く噴出されてしまって、多発汗部位である大腿部や胴体部に対応する場所からは噴出されにくいという不都合が生じる。
【００１１】
このような不都合を防ぐために、空気供給部を多発汗部位の近傍に設けるとすると、空気供給用の金具やチューブ等が身体に当たり易くなり、寝心地が悪化してしまう。
【００１２】
一方、特許文献３に示されるように、通気孔の数を空気供給部からの距離に応じて異ならせたとしても空気の噴出量の平均化は比較的困難であり、また特許文献４に示されるように、空気噴出孔を開閉自在に形成するものでは、複雑化して価格が高くなると共に、寝心地も悪化してしまう。
【００１３】
また以上に説明した従来の身体支持装置は、基本的には身体側の面の全面から空気を噴出するように構成しており、選択された身体側の面の所望の一部からのみ空気を噴出させたり、身体側の面の所望の複数個所から空気を噴出させたりするというようなことは想定していない。
【００１４】
これに対して、特許文献１の送風パッドでは、開閉可能な境界閉塞手段によって複数の区画が形成され、境界閉塞手段を閉とする操作により、所望の区画にだけ空気を供給して通風をさせることができるように構成されているが、結局は、下流側の区画からの空気の噴出をさせるか、空気の噴出を停止するかの操作を行えるに過ぎず、複数構成した区画のいずれにおいても空気の噴出をさせるためには、各区画毎に空気供給部を構成しなければならない。
【００１５】
本発明は、以上の点に鑑みて創案されたものであり、即ち、身体側の面から空気を噴出させて換気を行うようにした身体支持装置において、良好な換気のために身体側の面からの空気の噴出を合理的に行うことができる身体換気用装置を提供することを目的とするものである。
【課題を解決するための手段】
【００１６】
上述した課題を解決するために、本発明では、通気性を有しない第１のシート状要素と、低通気度のシート状素材により通気部を構成した第２のシート状要素と、それらを結合して扁平状空気袋を構成する着脱取付手段を要素とし、第１のシート状要素又は第２のシート状要素に空気供給部を設けた身体換気用装置を提案する。また、本発明では、この構成において、空気供給部を一個所にのみ設けることを提案する。
【００１７】
また本発明では、上記の構成において、第１のシート状要素が、寝具や椅子等の身体支持装置の上面カバーである身体換気用装置を提案する。
【００１８】
また本発明では、上記の構成において、低通気度のシート状素材を、高密度の布により構成することを提案する。
【００１９】
また本発明では、上記の構成において、通気部が、第２のシート状要素の全面に設けられていることを提案する。
【００２０】
また本発明では、上記の構成において、通気部が、第２のシート状要素の一部に設けられていることを提案する。
【００２１】
また本発明では、上記の構成において、通気部が、離隔した複数個所に設けられていることを提案する。
【００２２】
また本発明では、以上の構成において、異なる通気度の通気部が設けられていることを提案する。
【発明の効果】
【００２３】
本発明では、低通気度のシート状素材により通気部を構成した第２のシート状要素を、着脱取付手段により通気性を有しない第１のシート状要素に結合することにより、第１のシート状要素の上側に扁平状空気袋を構成することができる。この扁平状空気袋は通気部を有しており、この通気部を、低通気度のシート状素材により構成しているので、この通気部から空気を噴出させるためには、通気孔や通気性の良いシート状素材による通気部と比較して、より大きな内外の圧力差が必要である。このため、空気供給部を経て空気ポンプから供給された空気は、所定の内外圧力差となるまで、実質的に通気部から噴出せずに扁平状空気袋内に拡がって貯留され、こうして扁平状空気袋内に空気が溜まり、内外の圧力差が所定圧力となった際に通気部から噴出する。
【００２４】
こうして身体側の面に設けた通気部からは、空気供給部からの距離に左右されずに平均的に空気を噴出することができるため、換気が必要な個所に適切に空気を供給して蒸れの発生を抑制することができる。
【００２５】
このことから通気部は、扁平状空気袋の第２のシート状要素の全面に設ける他、一部に設けることができ、また離隔した複数個所に設けたり、異なる通気度の通気部、従って空気の噴出量の異なる通気部を容易に構成することができる。
【００２６】
そして本発明は以上のように非常に合理的に身体側の面からの空気の噴出を行えるものでありながら、主な構成要素はシート状素材であるから、低コストに製作することができる。特に、空気供給部を一個所にのみ設けることにより、更に低コスト化を図ることができる。
【００２７】
このように上側に第２のシート状要素と共に扁平状空気袋を構成する第１のシート状要素は、寝具や椅子等の身体支持装置の上面カバーとすることができ、これにより、このような適宜の身体支持装置において、換気を良好に行い、蒸れの発生を抑制することができる。また、第２のシート状要素における通気部の数や配置、更にそれらの通気度を異ならせたものを多数用意しておいて、必要に応じて取り替えることにより、第１のシート状要素２は共通として、極めて多様な空気噴出パターンを実現することができる。
【発明を実施するための最良の形態】
【００２８】
次に本発明の身体換気用装置の実施の形態を添付図面を参照して説明する。
まず図１〜図５は本発明に係る身体換気用装置の第１の実施の形態を示すものである。
図において符号１は身体支持装置の一つとして、マットレスを示すもので、このマットレス１の少なくとも上面カバー２は通気性を有しない構成としている。即ち、このマットレス１の上面カバー２が上述した第１のシート状要素に相当する。また符号３は低通気度のシート状素材により通気部４を構成した第２のシート状要素であり、これらの第１のシート状要素２と第２のシート状要素３には、それらを結合して扁平状空気袋５を構成する着脱取付手段６を設けている。この着脱取付手段６は通気性を有しないファスナーを適用することができる。
【００２９】
この実施の形態において、第２のシート状要素３は、通気部４を構成する低通気度のシート状素材の外周側に通気性を有しないシート状素材７を設けており、このシート状素材７の周縁に上記着脱取付手段６を設けている。
【００３０】
更に符号８は第２のシート状要素３に帯状部材により構成した通路状の空気供給部８であり、この空気供給部８の端部には空気ポンプ９に至る空気供給パイプ１０に接続するための接続部材１１を設けている。この実施の形態においては、空気供給部８は、一個所にのみ設けており、このため低コストであるが、ある程度のコスト上昇を許容すれば、空気供給部８を複数個所に設けることができる。尚、図中２点鎖線で示すように、この空気供給部８は第１のシート状要素３側に構成することもできる。また、図では便宜的に、第２のシート状要素３において、通気性を有しないシート状素材７を密なダブルハッチングで示し、低通気度のシート状素材３を粗なダブルハッチングで示している。
【００３１】
尚、この実施の形態においては、第２のシート状要素３は、通気性を有しないシート状素材７で構成される外周要素の内側に低通気度のシート状素材による通気部４を構成しているが、低通気度のシート状素材のみで第２のシート状要素３を構成することもできる。
【００３２】
ここで通気部４を構成する低通気度のシート状素材は、例えば織物、編物、不織布を材料として高密度でシート状に形成したものとし、通気度（フラジール法）は、例えば５cm3/(cm2・秒)〜0.3cm3/(cm2・秒)の範囲とするが、それ以上の範囲の通気度を適用することもできる。一方、通気性を有しないシート状素材７と第１のシート状要素である上面カバー２は、上記シート状素材４の密度を更に高密度として通気度を非常に小さくしたシート状素材、例えば特許文献６、特許文献７等に記載されているエアーバック用のシート状素材を用いる他、通気性を有しないフィルム等を積層したり、通気性を有しない材質でコーティングする等により構成する適宜のシート状素材を用いることができる。また低通気度のシート状素材は、１枚のシート状素材により所定の通気度を得る他、複数枚のシート状素材を重ねることにより所定の通気度を得ることができる。
【特許文献６】特開２００２−３２７３５０号公報
【特許文献７】特開２００２−３６３８３６号公報
【００３３】
以上の構成において、本発明では、図２に示すように、低通気度のシート状素材により通気部４を構成した第２のシート状要素３を、着脱取付手段６により通気性を有しない第１のシート状要素であるマットレス１の上面カバー２に結合することにより、第１のシート状要素２の上側に扁平状空気袋５を構成することができる。
【００３４】
次いで空気供給部８の接続部材１１に空気ポンプ９に至る空気供給パイプ１０を接続して、空気ポンプ９から扁平状空気袋５に空気を供給する。
【００３５】
図に示すように、この実施の形態では、通気部４は、図５に示すように、幅が人１２のウエスト幅、長さが肩峰高から膝蓋骨中央高までの範囲に対応して構成している。この通気部４を構成するシート状素材の通気度は、上述したように、例えば５cm3/(cm2・秒)〜0.3cm3/(cm2・秒)の範囲のものを適宜選択して使用することができる。
【００３６】
以上の構成において、空気ポンプ９から供給された空気は空気供給部８を流れて扁平状空気袋５内に供給される。本発明では、通気部４は、低通気度のシート状素材により構成しているので、この通気部４から空気を噴出させるためには、上述した従来の通気孔や通気性の良いシート状素材による通気部と比較して、より大きな内外の圧力差が必要である。
【００３７】
このため、空気供給部８を経て空気ポンプ９から供給された空気は、所定の内外圧力差となるまで、実質的に通気部４から噴出せずに扁平状空気袋５内に拡がって貯留される。そして扁平状空気袋５内に溜まった空気は、内外の圧力差が所定圧力となった際に通気部４から噴出する。
【００３８】
このように低通気度のシート状素材を通気部４とし、それを通過させて空気を噴出するため、多量の空気が局部に集中して噴出するようなことがなく、従って人１２に不快感を起こさせることなく、身体からの熱と湿気を除去して蒸れの発生を防止することができる。
【００３９】
尚、以上に説明した第１の実施の形態において、通気部４の幅は、使用者の要望に応じて設定することができ、例えば肩幅まで広げることもできる。また空気供給部８は扁平状空気袋５からマットレス１の幅方向に突設しているが、マットレス１の長手方向に突設することもできる。
【００４０】
次に図６は本発明に係る身体換気用装置の第２の実施の形態を示すものである。この実施の形態では、通気部４は、通気性を有しないシート状素材７の部分を隔てた両側に低通気度のシート状素材を用いて、２つの離隔した通気部４ａ，４ｂを構成している。そして通気部４ａ，４ｂは、幅が人１２のウエスト幅に対応し、長さ方向では、通気部４ａが肩峰高から後ウエスト高までの範囲、即ち背部に対応し、また通気部４ｂは、臀溝高から膝蓋骨中央高までの範囲、即ち大腿部に対応して構成している。その他の構成は、第１の実施の形態と同様であるので、図中の符号を第１の実施の形態と同様に付して、重複する説明は省略する。
【００４１】
この第２の実施の形態では、上述したように背部と大腿部に離隔して空気を噴出して、後ウエスト高から臀溝高の範囲には空気を噴出させないため、腹部や腰部の通気による強制的除湿を望まない使用者に対して適している。
【００４２】
尚、第２のシート状要素３の通気部４ａ，４ｂの間は、通気性を有しないシート状素材７を用いる代わりに、通気部４ａ，４ｂを構成するシート状素材の通気度よりも更に通気度の小さいシート状素材を用いることができ、この部分からは、通気部４ａ，４ｂよりも僅かな空気を噴出させることにより、上述した使用者に対しても不快感を与えないようにすることができる。また同様にして通気部４ａ，４ｂを構成するシート状素材３の通気度を異ならせることもできる。
【００４３】
次に図７〜図１１は通気部４の構成の他の実施の形態を示すものである。
上述したように図６では第２のシート状要素３において、通気部４を構成するシート状素材と通気性を有しないシート状素材７とを一次元方向に異ならせて配置しているが、図７，図８に示す実施の形態では、通気部４を構成するシート状素材と通気性を有しないシート状素材７とを二次元方向に異ならせて配置している。また図９〜図１１では通気部４を構成するシート状素材と通気性を有しないシート状素材７とを同心状に配置している。
【００４４】
尚、通気部４を構成するシート状素材の通気度は、通気部４の面積や空気ポンプの流量等を考慮して適宜設計することができ、例えば、通気部４の面積が比較的小さい場合には、通気度は上述した5cm3/(cm2・秒)〜0.3cm3/(cm2・秒)の範囲を越え、10cm3/(cm2・秒)程度の通気度のシート状素材を使用することもできる。
【００４５】
また本発明の身体換気用装置は、例えば図１２（ａ），（ｂ）の実施の形態に示すように、椅子１３やソファー１４等に適用することもでき、座部と背もたれ部の上面カバーに本発明を適用するものである。この場合、空気ポンプは、これらの適所に格納して運転可能に構成することにより、椅子１３やソファー１４等に座っている際の大腿部や背中の蒸れを、通気部４からの通気により防止することができる。
【産業上の利用可能性】
【００４６】
以上のとおり、本発明では、通気部を、低通気度のシート状素材により構成しているので、身体側の面から空気を噴出させて換気を行うようにした身体支持装置において、身体側の面からの空気の噴出を合理的に行うことができる身体換気用装置を提供することができ、産業上の利用可能性が大である。
【図面の簡単な説明】
【００４７】
【図１】本発明に係る身体換気用装置の第１の実施の形態を示す模式的拡散図である。
【図２】本発明に係る身体換気用装置の第１の実施の形態を示す模式的斜視図である。
【図３】図２のＡ−Ａ線模式的断面図である。
【図４】図３とは異なった局面において示す図２のＡ−Ａ線模式的断面図である。
【図５】第１の実施の形態の使用状態を示す模式的平面図である。
【図６】第２の実施の形態の使用状態を示す模式的斜視図である。
【図７】本発明の他の実施の形態を示す模式的要部平面図である。
【図８】本発明の更に他の実施の形態を示す模式的要部平面図である。
【図９】本発明の更に他の実施の形態を示す模式的要部平面図である。
【図１０】本発明の更に他の実施の形態を示す模式的要部平面図である。
【図１１】本発明の更に他の実施の形態を示す模式的要部平面図である。
【図１２】本発明の更に他の実施の形態を示す模式的斜視図である。
【符号の説明】
【００４８】
１            マットレス（身体支持装置）
２            上面カバー（第１のシート状要素）
３            第２のシート状要素
４            通気部
５            扁平状空気袋
６            着脱取付手段（ファスナー）
７            通気性を有しないシート状素材
８            空気供給部
９            空気ポンプ
１０          空気供給パイプ
１１          接続部材
１２          人
１３          椅子
１４          ソファー
【図１】
2009297269.tif 000003
【図２】
2009297269.tif 000004
【図３】
2009297269.tif 000005
【図４】
2009297269.tif 000006
【図５】
2009297269.tif 000007
【図６】
2009297269.tif 000008
【図７】
2009297269.tif 000009
【図８】
2009297269.tif 000010
【図９】
2009297269.tif 000011
【図１０】
2009297269.tif 000012
【図１１】
2009297269.tif 000013
【図１２】
2009297269.tif 000014